(57)【特許請求の範囲】
【請求項１】
ピックアップを移送するピックアップ送り機構であって、
前記ピックアップの移送方向と平行に配設された送りネジと、
前記ピックアップに前記送りネジの配設方向と平行な軸のまわりに回動自在となるように支承されたホルダ部が形成されると共に、前記送りネジの配設方向に対して交差する方向から前記送りネジに外接して噛合する湾曲歯とが形成されたラックと、
前記ピックアップとホルダ部との間に設けられ、前記ラックを前記送りネジ側に付勢することにより、前記湾曲歯を前記送りネジに弾性付勢させるスプリングとを有し、
前記湾曲歯は、前記送りネジの軸の半径より大きな半径であって且つ前記交差する方向から前記送りネジを包むように湾曲して形成されていることを特徴とするピックアップ送り機構。
【発明の詳細な説明】
【０００１】
【発明の属する技術分野】
本発明は、例えば光ディスク等の情報記録媒体から情報を読み取るためのピックアップを進退自在に移送するピックアップ送り機構に関する。
【０００２】
【従来の技術】
従来、この種のピックアップ送り機構として、実開平５−６１８６１号公報、特開平６−６８６１９号公報に開示され光ディスク再生装置用のものが知られている。図６は前者の文献、図７は後者の文献に開示されたピックアップ送り機構の構造を模式的に示している。
【０００３】
図６のピックアップ送り機構は、ピックアップ本体１を摺動自在に支持するガイドシャフト２，３と、スクリューシャフト４と、ピックアップ本体１に延設された支持アーム５の先端部分に設けられたラック６とを備え、ラック６に刻設された平歯６ａがスクリューシャフト４に噛合している。そして、スクリューシャフト４を回動させ、平歯６ａとスクリューシャフト４との噛合位置を変位させることで、ピックアップ本体１をガイドシャフト２，３の長手方向、すなわち、図示しないターンテーブルに装着される例えばＣＤ等の光ディスクの半径方向に進退移動させるようになっている。
【０００４】
図７のピックアップ送り機構は、ピックアップ本体７を光ディスクの半径方向に進退移動させるべく摺動自在に支持するガイドシャフト８，９を備え、ピックアップ本体７に延設された支持部材１０の先端部分に、一方のガイドシャフト８に一体化されたスクリューギヤ部１１と係合する係合ピン１２が設けられている。そして、一方のガイドシャフト８を回動させ、係合ピン１２とスクリューギヤ部１１との係合位置を変位させることで、ピックアップ本体７をガイドシャフト８，９の長手方向に進退移動させるようになっている。
【０００５】
【発明が解決しようとする課題】
しかしながら、図６に示した従来のピックアップ送り機構では、ラック６は、支持アーム５に並設された板バネ６ｂによってスクリューシャフト４に弾性付勢されてはいるが、スクリューギヤ部１１の周面に直線状の平歯６ａが単に噛合しているにすぎないため、振動などを受けると、平歯６ａとスクリューシャフト４との歯面が容易に外れてしまい、ピックアップ本体１が光ディスクから読み取っている情報に欠落が生じる問題があった。
【０００６】
一方、図７に示した従来のピックアップ送り機構においても、係合ピン１２の先端がスクリューギヤ部１１に係合しているにすぎないため、振動などにより係合ピン１２がスクリューギヤ部１１から外れてしまい、ピックアップ本体７が光ディスクから読み取っている情報に欠落が生じる問題があった。
【０００７】
また、このような平歯６ａとスクリューシャフト４との外れや、係合ピン１２とスクリューギヤ部１１との外れを防止する手段として、図８に示すように、スクリューギヤ１３に噛合するハーフナット１４をピックアップ本体１５のラック１６に形成すると共に、ハーフナット１４とスクリューギヤ１３の歯面の内径をほぼ等しく設計することで、ハーフナット１４がスクリューギヤ１３から外れないようにすることも考えられる。
【０００８】
しかし、かかる構造を採用した場合には、ピックアップ本体１５を摺動自在に支持しているガイドシャフト１７，１８とスクリューギヤ１３との間に相対的なズレがあると、スクリューギヤ１３とハーフナット１４との間の噛み合いズレを十分に吸収できずにコジリ等が発生し、スクリューギヤ１３を駆動する駆動モータ（図示省略）に過負荷が掛かって起動電圧の上昇を招く等の不安定な現象を招来する問題がある。
【０００９】
本発明はこのような上記従来の課題に鑑みてなされたものであり、ピックアップの搬送精度の向上等を可能にするピックアップ送り機構を提供することを目的とする。
【００１０】
【課題を解決するための手段】
上記課題を解決するために本発明は、ピックアップを移送するピックアップ送り機構であって、前記ピックアップの移送方向と平行に配設された送りネジと、前記ピックアップに前記送りネジの配設方向と平行な軸のまわりに回動自在となるように支承されたホルダ部が形成されると共に、前記送りネジの配設方向に対して交差する方向から前記送りネジに外接して噛合する湾曲歯とが形成されたラックと、前記ピックアップとホルダ部との間に設けられ、前記ラックを前記送りネジ側に付勢することにより、前記湾曲歯を前記送りネジに弾性付勢させるスプリングとを有し、前記湾曲歯は、前記送りネジの軸の半径より大きな半径であって且つ前記交差する方向から前記送りネジを包むように湾曲して形成されていることを特徴とする。
【００１１】
かかる構造によると、送りネジが回動するのに伴って湾曲歯と送りネジとの噛合位置が変位し、ピックアップが進行又は退行する。湾曲歯は送りネジに外接し、且つ湾曲歯の曲率が送りネジの曲率より小さいため、湾曲歯と送りネジとの間に噛み合いのズレがあっても、このズレは十分に吸収される。このため、送りネジと湾曲歯との間でのコジリ等の発生が未然に防止される。
【００１２】
また、振動などにより、湾曲歯と送りネジとの間に噛み合いのズレが生じても、これら湾曲歯と送りネジとの外れが未然に防止される。
【００１３】
【発明の実施の形態】
以下、本発明のピックアップ送り機構の実施の形態について図面を参照して説明する。図１は本実施形態に係るピックアップ送り機構の構造を示す平面図である。
【００１４】
同図において、ＣＤ（コンパクトディスク）やＤＶＤ（デジタルビデオディスク又はデジタルバーサタイルディスク）等のディスク１００を載置し、芯出し及びクランプして回転させるためのターンテーブル１０１が設けられているシャーシ１０２に、一対のガイドシャフト１０３，１０４と、送りギアであるスクリューギヤ１０５と、駆動モータ１０６が配設されている。
【００１５】
ガイドシャフト１０３，１０４とスクリューギヤ１０５は、互いに平行に配設されており、ガイドシャフト１０３，１０４は固定部材１０７〜１１０によってシャーシ１０２に固定され、スクリューギヤ１０５は、シャーシ１０２に固定された軸受部材１１１，１１２によって回動自在に支持されている。
【００１６】
更に、スクリューギヤ１０５の一方の軸端は板バネ等の弾性体から成るスラスト部材１１３によって弾性付勢され、これによってスクリューギヤ１０５の軸方向におけるガタの発生が防止されている。また、スクリューギヤ１０５には、駆動モータ１０６の駆動力を伝達する駆動ギヤ１１５に噛合する従動ギヤ１１４が固定されている。
【００１７】
ガイドシャフト１０３，１０４には光ピックアップ本体１１６が摺動自在に支持され、光ピックアップ本体１１６の上面には、光ディスク１００の記録面に光ビームを照射しその反射光を集光することで記録情報を読み取る対物レンズ１１７が設けられている。
【００１８】
更に、光ピックアップ本体１１６に延設されたアーム部１１８には、コイルスプリング１１９の弾性付勢力を受けてスクリューギヤ１０５に接触するラック１２０が設けられている。
【００１９】
図２は光ピックアップ本体１１６に対するラック１２０の取り付け構造をより詳細に示す分解平面図、図３はラック１２０の背面図、図４は図１中のＡ−Ａ線に沿った縦断面図である。
【００２０】
図２において、光ピックアップ本体１１６に延設されたアーム部１１８には、側壁１２１ａ，１２１ｂ，１２１ｃを備えた枠体１２１が一体化されており、互いに対向する側壁１２１ａ，１２１ｂには、支承ピン１２２を貫装する貫通孔１２１ｄ，１２１ｅが穿設されている。
【００２１】
ラック１２０には、枠体１２１内に嵌装されるホルダ部１２０ａが一体成形され、ホルダ部１２０ａには支承ピン１２２を貫装する貫通孔１２０ｂが穿設されている。
【００２２】
ラック１２０の背面には、スクリューギヤ１０５に噛合する湾曲歯１２０ｃが成形されている。すなわち、背面から見た場合の湾曲歯１２０ｃの歯面は、スクリューギヤ１０５の山と谷のピッチ間隔に合わせられた形状となっている。
【００２３】
そして、ホルダ部１２０ａにコルイスプリング１１９を装着した状態でこれらを枠体１２１内に嵌装し、更に、コルイスプリング１１９の両端１１９ａ，１１９ｂをそれぞれ側壁１２１ｃとラック１２０に係止した状態で、支承ピン１２２を貫通孔１２１ｄ，１２１ｅ及び１２０ｂに貫装することにより、図４に示すように、ラック１２０が光ピックアップ本体１１６のアーム部１１８に取り付けられると共に、コイルスプリング１１９によりスクリューギヤ１０５に弾性付勢されている。
【００２４】
更に図５の説明図において、ラック１２０に成形された湾曲歯１２０ｃの半径Ｒは、スクリューギヤ１０５の半径ｒに比べて大きく設定されている。したがって、湾曲歯１２０ｃの曲率がスクリューギヤ１０５の曲率より小さく、且つ湾曲歯１２０ｃはスクリューギヤ１０５を包むように接している。
【００２５】
次に、かかる構造を有する本ピックアップ送り機構の作動を図１及び図４を用いて説明する。ターンテーブル１０１にディスク１００が載置されると、駆動モータ１０６が起動し、ギヤ１１５，１１６を介してスクリューギヤ１０５が回転する。これにより、湾曲歯１２０ｃとスクリューギヤ１０５との噛合位置が変位し、ピックアップ本体１がガイドシャフト１０３，１０４に沿ってディスク１００の半径方向に進行又は退行することで、ディスク１００の記録面からの記録情報の読み取りが行われる。
【００２６】
ここで、湾曲歯１２０ｃは、スクリューギヤ１０５の曲率より小さく且つスクリューギヤ１０５を包むように接しているので、湾曲歯１２０ｃとスクリューギヤ１０５との間に噛み合いのズレがあっても、このズレを十分に吸収する。
【００２７】
このため、スクリューギヤ１０５と湾曲歯１２０ｃとの間でのコジリ等の発生が未然に防止され、駆動モータ１０６に過負荷が掛かって起動電圧の上昇を招く等の不安定な現象の発生を未然に防止することができる。また、振動などを受けても、湾曲歯１２０ｃとスクリューギヤ１０５との噛み合いの外れが未然に防止される。
【００２８】
また、ピックアップ本体１１６は、ガイドシャフト１０３，１０４の長さ等によりその移動可能範囲が決められているが、仮にターンテーブル１０１に最も近接した行止り位置又はターンテーブル１０１から最も離れた行止り位置に到達してそれ以上の移動が出来なくなった場合には、湾曲歯１２０ｃはコイルスプリング１０９の弾性力に抗してスクリューギヤ１０５の歯面を越えることとなるため、駆動モータ１０６に過負荷が掛かかるのを未然に防止することができる。
【００２９】
このように、本実施形態によれば、スクリューギヤ１０５とラック１２０との良好な噛合状態が得られるため、スクリューギヤ１０５の回動量に比例してピックアップ本体１１６をディスク１００の半径方向に高精度で移動させることができる。
【００３０】
【発明の効果】
以上説明したように本発明のピックアップ送り機構によれば、ラックに、送りネジと接する湾曲歯を備え、湾曲歯の曲率を送りネジの曲率より小さくしたので、湾曲歯と送りネジとの間に噛み合いのズレがあっても、このズレを十分に吸収することができる。このため、送りネジと湾曲歯との間でのコジリ等の発生を未然に防止することができる。また、振動などを受けても、湾曲歯１２０ｃとスクリューギヤ１０５との噛み合いの外れを未然に防止することができる。このように、送りネジとラックとの良好な噛合状態が得られるため、送りネジの回動量に比例してピックアップを高精度で移動させることができる。
【図面の簡単な説明】
【図１】本実施形態に係るピックアップ送り機構の構造を示す平面図である。
【図２】光ピックアップ本体に対するラックの取り付け構造を詳細に示す分解平面図である。
【図３】ラックの背面図である。
【図４】図１中のＡ−Ａ線に沿った縦断面図である。
【図５】ラックの湾曲歯とスクリューギヤとの噛合関係を示す説明図である。
【図６】従来のピックアップ送り機構の構造を模式的に示す斜視図である。
【図７】従来の他のピックアップ送り機構の構造を模式的に示す平面図である。
【図８】従来の更に他のピックアップ送り機構の構造を模式的に示す斜視図である。
【符号の説明】
１００…ディスク
１０１…シャーシ
１０３，１０４…ガイドシャフト
１０５…スクリューギヤ
１１６…ピックアップ本体
１１８…アーム部
１１９…コイルスプリング
１２０…ラック
１２０ｃ…湾曲歯
【図１】
0003686539.tif 000002
【図２】
0003686539.tif 000003
【図３】
0003686539.tif 000004
【図４】
0003686539.tif 000005
【図５】
0003686539.tif 000006
【図６】
0003686539.tif 000007
【図７】
0003686539.tif 000008
【図８】
0003686539.tif 000009